(57)【特許請求の範囲】
【請求項１】
一対の導電端子を有する外部接続可能なコネクタと、
前記コネクタがオープンであるときに第１の状態になり、前記コネクタがロードであるときに第２の状態になる半導体スイッチとを備え、
前記半導体スイッチの状態の切り換わりに応じて特定の機能の有効／無効が切り換わり、
いかなる相手コネクタも前記コネクタに接続されていない、又は、前記一対の導電端子に対応している第１の導電端子及び第２の導電端子を有し前記第１の導電端子と前記第２の導電端子とが負荷を介して電気的に接続されていない第１の相手コネクタが前記コネクタに接続されている場合に、前記コネクタがオープンになり、
前記一対の導電端子に対応している第３の導電端子及び第４の導電端子を有し前記第３の導電端子と前記第４の導電端子とが負荷を介して電気的に接続されている第２の相手コネクタが前記コネクタに接続されている場合に、前記コネクタがロードになることを特徴とする電子機器。
【請求項２】
防水構造の筐体に格納されていることを特徴とする請求項１に記載の電子機器。
【請求項３】
高周波信号を処理する高周波機器であることを特徴とする請求項１又は請求項２に記載の電子機器。
【請求項４】
高周波信号を入力する外部接続可能な入力コネクタと、
前記入力コネクタによって入力された高周波信号を処理する信号処理部と、
前記信号処理部によって処理された高周波信号を出力する外部接続可能な出力コネクタとを備え、
前記特定の機能が、前記出力コネクタに外部接続される外部電源から供給される電力を、前記入力コネクタに外部接続される外部機器に伝送する通電機能であることを特徴とする請求項３に記載の電子機器。
【請求項５】
前記半導体スイッチは、前記コネクタがロードであるときに第２の状態になる代わりに前記コネクタがショートであるときに第２の状態になり、
前記一対の導電端子に対応している第５の導電端子及び第６の導電端子を有し前記第５の導電端子と前記第６の導電端子とが短絡している第３の相手コネクタが前記コネクタに接続されている場合に、前記コネクタがショートになる請求項１〜４のいずれか１項に記載の電子機器。
【発明の詳細な説明】
【技術分野】
【０００１】
本発明は、電子機器に関し、特に特定の機能の有効／無効を切り換えることができる電子機器に関する。
【背景技術】
【０００２】
特定の機能の有効／無効を切り換えることができる従来の電子機器として、ここでは、通電機能の有効／無効を切り換えることができる混合器（以下、通電スイッチ機能付き混合器という）を例に挙げて説明する。
【０００３】
従来の通電スイッチ機能付き混合器の一構成例を図６に示す。図６に示す従来の通電スイッチ機能付き混合器６００は、ＵＨＦ（Ultra High Frequency）アンテナ１０１Ａの受信信号を入力する第１入力コネクタ１と、ＵＨＦアンテナ１０１Ｂの受信信号を入力する第２入力コネクタ２と、第１入力コネクタ１によって入力されたＵＨＦアンテナ１０１Ａの受信信号と第２入力コネクタ２によって入力されたＵＨＦアンテナ１０１Ｂの受信信号とを混合する混合器５と、混合器５によって混合された受信信号を出力する出力コネクタ７とを備えている。また、図６に示す従来の通電スイッチ機能付き混合器６００においては、第１入力コネクタ１と混合器５の間、第２入力コネクタ２と混合器５の間、混合器５と出力コネクタ７の間にそれぞれ、直流阻止用コンデンサ３、４、６が配設されている。また、図６に示す従来の通電スイッチ機能付き混合器６００においては、出力コネクタ７と第１入力コネクタ１の間にスライドスイッチＳＷ１が配設され、更に、出力コネクタ７とスライドスイッチＳＷ１の間、スライドスイッチＳＷ１と第１入力コネクタ１の間にそれぞれ、高周波阻止用コイル８、９が配設されている。
【０００４】
ＵＨＦアンテナ１０１Ａと第１入力コネクタ１の間には、ＵＨＦアンテナ１０１Ａの受信信号を増幅するブースタ１０２Ａが設けられている。また、出力コネクタ７から出力される受信信号は電源部１０３を経由してＴＶ受信機１０４に伝送される。そして、スライドスイッチＳＷ１がＯＮ状態の場合、出力コネクタ７に外部接続される電源部１０３から供給されるＤＣ電力又はＡＣ電力を第１入力コネクタ１に外部接続されるブースタ１０２Ａに伝送する通電機能が有効となり、ブースタ１０２Ａが増幅動作を行う。これに対して、混合器の設置地域の受信状況によりＵＨＦアンテナ１０１Ａと第１入力コネクタ１の間にブースタ１０２Ａが介在する必要がない場合、ＵＨＦアンテナ１０１Ａと第１入力コネクタ１の間にブースタ１０２Ａを設けず、スライドスイッチＳＷ１をＯＦＦ状態とし、上記通電機能が無効となる。
【０００５】
【特許文献１】特許第２９４５３８７号公報（第２図）
【特許文献２】実開平１−８６７１７号公報（第２図）
【発明の開示】
【発明が解決しようとする課題】
【０００６】
図６に示す従来の通電スイッチ機能付き混合器６００は、屋外仕様である場合、通常、その構成部品をダイカスト等で構成された防水構造の筐体に格納し、その防水構造の筐体にユーザーサイドで開閉可能なフタを設け、第１入力コネクタ１、第２入力コネクタ２、及び出力コネクタ７を外部接続可能なように配設する構成となる。なお、コネクタ部分の防水性を確保するために、第１入力コネクタ１、第２入力コネクタ２、及び出力コネクタ７を防水型コネクタとするか、或いは、第１入力コネクタ１、第２入力コネクタ２、及び出力コネクタ７に防水キャップを装着するとよい。
【０００７】
当該構成によると、スライドスイッチＳＷ１は防水構造の筐体内部にあるため、上記通電機能の有効／無効を切り換えるためにスライドスイッチＳＷ１のＯＮ／ＯＦＦを切り換える際には、ユーザーサイドで、防水構造の筐体のフタを開け、スライドスイッチＳＷ１のＯＮ／ＯＦＦを切り換え、その後防水構造の筐体のフタを閉めるという作業を行う必要があった。しかしながら、ユーザーサイドでフタの開閉を行うと、防水性が損なわれる危険がある。このような危険を回避するためには、フタ開閉による防水精度を低下させない筐体の防水構造とする必要があり、製造コストが上昇してしまう。また、フタの開閉を伴うため、上記通電機能の有効／無効の切り換え作業に手間がかかっていた。
【０００８】
一方、図６に示す従来の通電スイッチ機能付き混合器６００において、その構成部品をダイカスト等で構成された防水構造の筐体に格納し、更に第１入力コネクタ１、第２入力コネクタ２、及び出力コネクタ７を外部接続可能なように配設し、その防水構造の筐体に、Ｏリング付きのダミーボルトで閉じることができる１０ｍｍ程度の穴を設け、その穴からスライドスイッチＳＷ１のＯＮ／ＯＦＦが切り換え可能なようにスライドスイッチＳＷ１を防水構造の筐体内に配置する構成を採用している製品も見受けられる。しかしながら、このような製品では、通常奥まった所にしかスライドスイッチＳＷ１を配置できないため、上記通電機能の有効／無効を切り換える作業の作業性が悪かった。また、Ｏリング付きのダミーボルトの締めが甘いと、防水性が損なわれる危険がある。
【０００９】
本発明は、上記の状況に鑑み、特定の機能の有効／無効を容易に切り換えることができる電子機器を提供することを目的とする。
【課題を解決するための手段】
【００１０】
上記目的を達成するために本発明に係る電子機器は、外部接続可能なコネクタと、前記コネクタのオープン、ロードのいずれかである外部接続状態に応じて状態が切り換わるスイッチとを備え、前記スイッチの状態の切り換わりに応じて特定の機能の有効／無効が切り換わる構成とする。
【００１１】
このような構成によると、外部接続可能なコネクタのオープン／ロードの切り換えにより特定の機能の有効／無効が切り換わるので、特定の機能の有効／無効を容易に切り換えることができる。
【００１２】
また、屋外設置等に適するように、防水構造の筐体に格納されていてもよい。この場合、防水構造の筐体のフタを開けることなく、前記スイッチの状態を切り換えることができるので、特定の機能の有効／無効を切り換える作業の作業性に優れている。また、ユーザーサイドで防水構造の筐体のフタを開閉する必要がなくなるので、防水性が損なわれるおそれがなくなる。これにより、フタ開閉による防水精度を低下させない筐体の防水構造とする必要がなくなり、製造コストを抑えることができる。
【００１３】
また、前記電子機器が高周波信号を処理する高周波機器であってもよい。さらに、高周波信号を入力する外部接続可能な入力コネクタと、前記入力コネクタによって入力された高周波信号を処理する信号処理部と、前記信号処理部によって処理された高周波信号を出力する外部接続可能な出力コネクタとを備え、前記特定の機能が、前記出力コネクタに外部接続される外部電源から供給される電力を、前記入力コネクタに外部接続される外部機器に伝送する通電機能であるようにしてもよい。
【００１４】
また、前記コネクタのロードの代わりに前記コネクタのショートを用いてもよい。
【発明の効果】
【００１５】
本発明に係る電子機器によると、外部接続可能なコネクタのオープン／ロード又はオープン／ショートの切り換えにより特定の機能の有効／無効が切り換わるので、特定の機能の有効／無効を容易に切り換えることができる。
【発明を実施するための最良の形態】
【００１６】
本発明の実施形態について図面を参照して以下に説明する。特定の機能の有効／無効を切り換えることができる本発明に係る電子機器として、ここでは、通電スイッチ機能付き混合器を例に挙げて説明する。
【００１７】
本発明に係る通電スイッチ機能付き混合器の一構成例を図１に示す。図１は前記混合器の第１入力コネクタ１とＵＨＦアンテナ１０１Ａとの間にブースタ１０２Ａを介在させた構成で、ブースタ１０２ＡはＵＨＦアンテナ１０１Ａにおける受信信号のレベルが低い場合に設けられる。なお、図１において図６と同一の部分には同一の符号を付し詳細な説明を省略する。図１に示す本発明に係る通電スイッチ機能付き混合器１００は、図６に示す従来の通電スイッチ機能付き混合器６００からスライドスイッチＳＷ１を取り除き、抵抗１０、フォトカプラ１１、通電スイッチ機能用コネクタ１２、及び１極単投メカニカルリレー１３を新たに設けた構成である。さらに、出力コネクタ７に外部接続される電源部１０３から供給される電力がＡＣ電力の場合には、図１に示すように、高周波阻止用コイル８と抵抗１０及びフォトカプラ１１との間にダイオード及びコンデンサによって構成される整流・平滑回路を設けるようにするとよい。
【００１８】
また、図１に示す本発明に係る通電スイッチ機能付き混合器１００は、屋外仕様の混合器であって、その構成部品をダイカストで構成された防水構造の筐体（不図示）に格納し、第１入力コネクタ１、第２入力コネクタ２、出力コネクタ７、及び通電スイッチ機能用コネクタ１２を外部接続可能なように配設している。なお、コネクタ部分の防水性を確保するために、第１入力コネクタ１、第２入力コネクタ２、及び出力コネクタ７を防水型コネクタとするか、或いは、第１入力コネクタ１、第２入力コネクタ２、及び出力コネクタ７に防水キャップを装着するとよい。また、第１入力コネクタ１、第２入力コネクタ２、出力コネクタ７、及び通電スイッチ機能用コネクタ１２には例えばＦ接栓を用いることができる。
【００１９】
通電スイッチ機能用コネクタ１２がオープンであるとき、フォトカプラ１１がＯＦＦになり、１極単投メカニカルリレー１３のリレーコイルに電圧が供給されないため、１極単投メカニカルリレー１３のリレースイッチがＯＦＦになり、出力コネクタ７に外部接続される電源部１０３から供給されるＤＣ電力又はＡＣ電力が第１入力コネクタ１には供給されず通電機能が無効になる。このように通電機能を無効にした場合、ブースタ１０２Ａを設ける必要はない。
【００２０】
一方、通電スイッチ機能用コネクタ１２にダミー抵抗１０５が外部接続されて通電スイッチ機能用コネクタ１２がロードであるとき、フォトカプラ１１がＯＮになり、１極単投メカニカルリレー１３のリレーコイルに電圧が供給されるため、１極単投メカニカルリレー１３のリレースイッチがＯＮになり、出力コネクタ７に外部接続される電源部１０３から供給されるＤＣ電力又はＡＣ電力が第１入力コネクタ１に供給され通電機能が有効になる。つまり、図１に示すようにＵＨＦアンテナ１０１Ａと第１入力コネクタ１との間にブースタ１０２Ａが設けられており、前記電力がブースタ１０２Ａに供給され、ＵＨＦアンテナ１０１Ａで受信した受信信号がブースタ１０２Ａで増幅され、第１入力コネクタ１に伝送される。なお、このように通電スイッチ機能用コネクタ１２にダミー抵抗１０５が外部接続される場合、防水性を確保するためにダミー抵抗１０５に防水キャップを装着するとよい。
【００２１】
図１に示す本発明に係る通電スイッチ機能付き混合器１００によると、通電スイッチ機能用コネクタ１２のオープン／ロードの切り換えにより通電機能の有効／無効が切り換わるので、通電機能の有効／無効を容易に切り換えることができる。また、防水構造の筐体のフタを開けることなく、通電機能の有効／無効を切り換えることができるので、通電機能の有効／無効を切り換える作業の作業性に優れている。また、ユーザーサイドで防水構造の筐体のフタを開閉する必要がなくなるので、製品出荷時の防水性能が保持される。これにより、フタ開閉による防水精度を低下させない筐体の防水構造とする必要がなくなり、製造コストを抑えることができる。
【００２２】
ダミー抵抗１０５の抵抗Ｒ１には、例えば一般的な７５Ωの抵抗を用いるとよい。また、ダミー抵抗１０５の代わりに図７に示すショート素子を用いて、通電スイッチ機能用コネクタ１２のオープン／ショートの切り換えにより通電機能の有効／無効が切り換わるようにしてもよい。
【００２３】
上述した実施形態では、アイソレーションを確保するためにフォトカプラ１１と１極単投メカニカルリレー１３の組み合わせを用いたが、本発明はこれに限定されることはなく、トランジスタ、フォトＭＯＳリレー、ＦＥＴ等様々な半導体スイッチを用いることも可能である。例えば、図２に示す本発明に係る通電スイッチ機能付き混合器２００のように、ＰＮＰトランジスタ１４を用い、抵抗１５を介してＰＮＰトランジスタ１４のベースを通電スイッチ機能用コネクタ１２に接続し、高周波阻止用コイル８を介してＰＮＰトランジスタ１４のエミッタを出力コネクタ７に接続し、高周波阻止用コイル９を介してＰＮＰトランジスタ１４のコレクタを第１入力コネクタ１に接続し、ＰＮＰトランジスタ１４のベース−エミッタ間に抵抗１０を設ける構成にすることができる。
【００２４】
また、ＵＨＦアンテナ１０１Ｂと第２入力コネクタ２の間にＵＨＦアンテナ１０１Ｂの受信信号を増幅するブースタ１０２Ｂが設けられている場合、図３に示す本発明に係る通電スイッチ機能付き混合器３００のように、第１入力コネクタ１に対して、高周波阻止用コイル８及び９、抵抗１０、フォトカプラ１１、通電スイッチ機能用コネクタ１２、並びに１極単投メカニカルリレー１３を設け、ダミー抵抗１０５の非接続／接続により通電スイッチ機能用コネクタ１２のオープン／ロードを切り換えたのと同様に、第２入力コネクタ２に対して、高周波阻止用コイル９’、抵抗１０’、フォトカプラ１１’、通電スイッチ機能用コネクタ１２’、及び１極単投メカニカルリレー１３’を設け、ダミー抵抗１０５’の非接続／接続により通電スイッチ機能用コネクタ１２’のオープン／ロードを切り換えるとよい。これにより、入力コネクタ毎に通電機能の有効／無効を切り切り換えることができる。さらに、出力コネクタ７に外部接続される電源部１０３から供給される電力がＡＣ電力の場合には、図３に示すように、高周波阻止用コイル８と抵抗１０、１０’及びフォトカプラ１１、１１’との間にダイオード及びコンデンサによって構成される整流・平滑回路を設けるようにするとよい。
【００２５】
また、抵抗値が異なるダミー抵抗を使い分けることで、通電スイッチ機能用コネクタで多彩な切換が可能となる。例えば、図４に示す本発明に係る通電スイッチ機能付き混合器４００のように、図３に示す本発明に係る通電スイッチ機能付き混合器３００から通電スイッチ機能用コネクタ１２’を取り除き、抵抗１６及び１７と電圧検出回路１８を新たに設ける構成にするとよい。さらに、出力コネクタ７に外部接続される電源部１０３から供給される電力がＡＣ電力の場合には、図４に示すように、高周波阻止用コイル８と抵抗１０、１０’及びフォトカプラ１１、１１’との間にダイオード及びコンデンサによって構成される整流・平滑回路を設けるようにするとよい。
【００２６】
図４に示す本発明に係る通電スイッチ機能付き混合器４００では、通電スイッチ機能用コネクタ１２がオープンであるとき、電圧検出回路１８が、約１０Ｖを検出し、その検出電圧値に基づいてフォトカプラ１１の発光ダイオードのアノード及びフォトカプラ１１’の発光ダイオードのアノードをオープンにする。これにより、出力コネクタ７に外部接続される電源部１０３から供給されるＤＣ電力又はＡＣ電力を第１入力コネクタ１に外部接続されるブースタ１０２Ａに伝送する通電機能、出力コネクタ７に外部接続される電源部１０３から供給されるＤＣ電力又はＡＣ電力を第２入力コネクタ２に外部接続されるブースタ１０２Ｂに伝送する通電機能がともに無効になる。このようなスイッチ状態では、ＵＨＦアンテナ１０１Ａ、１０１Ｂと入力コネクタ１、２との間にそれぞれブースタ１０２Ａ、１０２Ｂを設ける必要がない使用例となる。
【００２７】
また、図４に示す本発明に係る通電スイッチ機能付き混合器４００では、通電スイッチ機能用コネクタ１２に１ｋΩのダミー抵抗１０５が外部接続されているとき、電圧検出回路１８が約０．９Ｖ（≒１０×１／（１０＋１）Ｖ）を検出し、その検出電圧値に基づいてフォトカプラ１１の発光ダイオードのアノードを接地しフォトカプラ１１’の発光ダイオードのアノードをオープンにする。これにより、出力コネクタ７に外部接続される電源部１０３から供給されるＤＣ電力又はＡＣ電力を第１入力コネクタ１に外部接続されるブースタ１０２Ａに伝送する通電機能が有効になり、出力コネクタ７に外部接続される電源部１０３から供給されるＤＣ電力又はＡＣ電力を第２入力コネクタ２に外部接続されるブースタ１０２Ｂに伝送する通電機能が無効になる。このようなスイッチ状態では、ＵＨＦアンテナ１０１Ａと第１入力コネクタ１との間にブースタ１０２Ａを介在させ、ＵＨＦアンテナ１０１Ａで受信した受信信号をブースタ１０２Ａに増幅させてから第１入力コネクタ１に伝送する。
【００２８】
また、図４に示す本発明に係る通電スイッチ機能付き混合器４００では、通電スイッチ機能用コネクタ１２に２ｋΩのダミー抵抗１０５が外部接続されているとき、電圧検出回路１８が約１．６Ｖ（≒１０×２／（１０＋２）Ｖ）を検出し、その検出電圧値に基づいてフォトカプラ１１の発光ダイオードのアノードをオープンにしフォトカプラ１１’の発光ダイオードのアノードを接地する。これにより、出力コネクタ７に外部接続される電源部１０３から供給されるＤＣ電力又はＡＣ電力を第１入力コネクタ１に外部接続されるブースタ１０２Ａに伝送する通電機能が無効になり、出力コネクタ７に外部接続される電源部１０３から供給されるＤＣ電力又はＡＣ電力を第２入力コネクタ２に外部接続されるブースタ１０２Ｂに伝送する通電機能が有効になる。このようなスイッチ状態では、ＵＨＦアンテナ１０１Ｂと第２入力コネクタ２との間にブースタ１０２Ｂを介在させ、ＵＨＦアンテナ１０１Ｂで受信した受信信号をブースタ１０２Ｂに増幅させてから第２入力コネクタ２に伝送する。
【００２９】
また、図４に示す本発明に係る通電スイッチ機能付き混合器４００では、通電スイッチ機能用コネクタ１２に３ｋΩのダミー抵抗１０５が外部接続されているとき、電圧検出回路１８が約２．３Ｖ（≒１０×３／（１０＋３）Ｖ）を検出し、その検出電圧値に基づいてフォトカプラ１１の発光ダイオードのアノードを接地しフォトカプラ１１’の発光ダイオードのアノードも接地する。これにより、出力コネクタ７に外部接続される電源部１０３から供給されるＤＣ電力又はＡＣ電力を第１入力コネクタ１に外部接続されるブースタ１０２Ａに伝送する通電機能、出力コネクタ７に外部接続される電源部１０３から供給されるＤＣ電力又はＡＣ電力を第２入力コネクタ２に外部接続されるブースタ１０２Ｂに伝送する通電機能がともに有効になる。このようなスイッチ状態では、ＵＨＦアンテナ１０１Ａ、１０１Ｂと入力コネクタ１、２との間にそれぞれブースタ１０２Ａ、１０２Ｂを介在させ、各ＵＨＦアンテナで受信した受信信号を各ブースタに増幅させてから各入力コネクタに伝送する。
【００３０】
なお、本発明に係る電子機器が、有効／無効を切り換えることができる特定の機能は、通電機能に限定されない。例えば、図５に示す本発明に係る減衰スイッチ機能付き混合器５００は、図１に示す本発明に係る通電スイッチ機能付き混合器１００から高周波阻止用コイル９及び１極単投メカニカルリレー１３を取り除き、２極双投メカニカルリレー１９、π型のアッテネータ２０、及びスルー回路２１を新たに設けた構成であって、第１入力コネクタ１によって入力されたＵＨＦアンテナ１０１Ａの受信信号を減衰する減衰機能の有効／無効を切り換えることができる混合器である。図５に示す本発明に係る減衰スイッチ機能付き混合器５００においては、コネクタ１２は通電スイッチ機能用コネクタではなく減衰スイッチ機能用コネクタとなる。
【００３１】
図５に示す本発明に係る減衰スイッチ機能付き混合器５００では、減衰スイッチ機能用コネクタ１２がオープンであるとき、フォトカプラ１１がＯＦＦになり、２極双投メカニカルリレー１９のリレーコイルに電圧が供給されない。２極双投メカニカルリレー１９はリレーコイルに電圧が供給されない場合スルー回路２１側を選択する。したがって、減衰スイッチ機能用コネクタ１２がオープンであるとき、第１入力コネクタ１によって入力されたＵＨＦアンテナ１０１Ａの受信信号を減衰する減衰機能が無効になる。このようなスイッチ状態では、第１入力コネクタ１に入力されたＵＨＦアンテナ１０１Ａの受信信号はスルー回路２１を介して混合器５の入力側に供給される。
【００３２】
一方、減衰スイッチ機能用コネクタ１２にダミー抵抗１０５が外部接続されて減衰スイッチ機能用コネクタ１２がロードであるとき、フォトカプラ１１がＯＮになり、２極双投メカニカルリレー１９のリレーコイルに電圧が供給される。２極双投メカニカルリレー１９はリレーコイルに電圧が供給されている場合アッテネータ２０側を選択する。したがって、減衰スイッチ機能用コネクタ１２がロードであるとき、第１入力コネクタ１によって入力されたＵＨＦアンテナ１０１Ａの受信信号を減衰する減衰機能が有効になる。このようなスイッチ状態では、第１入力コネクタ１に入力されたＵＨＦアンテナ１０１Ａの受信信号はアッテネータ２０で減衰されてから混合器５の入力側に供給される。
【００３３】
また、上記説明では本発明を混合器に適用したが、本発明に係る電子機器はこれに限定されることはなく、特定の機能の有効／無効を切り換えることができる電子機器全般に適用可能である。
【図面の簡単な説明】
【００３４】
【図１】は、本発明に係る通電スイッチ機能付き混合器の一構成例を示す図である。
【図２】は、本発明に係る通電スイッチ機能付き混合器の他の構成例を示す図である。
【図３】は、本発明に係る通電スイッチ機能付き混合器の更に他の構成例を示す図である。
【図４】は、本発明に係る通電スイッチ機能付き混合器の更に他の構成例を示す図である。
【図５】は、発明に係る減衰スイッチ機能付き混合器の一構成例を示す図である。
【図６】は、従来の通電スイッチ機能付き混合器の一構成例を示す図である。
【図７】は、ショート素子の構成を示す図である。
【符号の説明】
【００３５】
１    第１入力コネクタ
２    第２入力コネクタ
３、４、６    直流阻止用コンデンサ
５    混合器５
７    出力コネクタ７
８、９、９’    高周波阻止用コイル
１０、１０’、１５〜１７    抵抗
１１、１１’    フォトカプラ
１２    通電スイッチ機能用コネクタ、減衰スイッチ機能用コネクタ
１２’  通電スイッチ機能用コネクタ
１３、１３’    １極単投メカニカルリレー
１４    ＰＮＰトランジスタ
１８    電圧検出回路
１９    ２極双投メカニカルリレー
２０    アッテネータ
２１    スルー回路
１００、２００、３００、４００  本発明に係る通電スイッチ機能付き混合器
５００    本発明に係る減衰スイッチ機能付き混合器
１０１Ａ、１０１Ｂ  ＵＨＦアンテナ
１０２Ａ、１０２Ｂ  ブースタ
１０３    電源部
１０４    ＴＶ受信機
１０５、１０５’    ダミー抵抗
Ｒ１    抵抗
【図１】
0005459971.tif 000002
【図２】
0005459971.tif 000003
【図３】
0005459971.tif 000004
【図４】
0005459971.tif 000005
【図５】
0005459971.tif 000006
【図６】
0005459971.tif 000007
【図７】
0005459971.tif 000008